(57)【特許請求の範囲】
【請求項１】
災害時の避難所として使用する施設の屋内空間部で避難者に割り当てられ、所望の間隔で設置される避難者用の複数個の区画から構成されている屋内空間部用の区画体において、前記区画には、前記屋内空間部の対向する上方側面間で前記設置される区画の一方向の幅に応じて架け渡すための区画用ロープ体と、該区画用ロープ体を利用して直接又は間接的に取り付け、且つ前記区画の各区画側側壁に隙間なく連続して又は前記区画を囲むように所望の高さの側壁Ａを前記区画側壁と一体的に又は別体として形成する上部側壁部材とから前記区画の形状に応じて形成された安全保護体が設けられていることを特徴とする屋内空間部用の区画体。
【請求項２】
災害時の避難所として使用する施設の屋内空間部に所望の間隔で設置し避難者に割り当てる複数個の区画を形成する屋内空間部用の区画体の区画方法において、前記屋内空間部の対向する上方側面間に区画の設置位置に応じて区画用ロープ体を前記区画の一方向の幅に応じて架け渡した後、１本又は複数本の前記区画用ロープ体を利用して直接又は間接的に前記区画の各区画側壁に隙間なく連続して又は囲むように、上部側壁部材を取り付けることで、屋内空間部に所望の高さの側壁Ａで前記区画の形状に応じてた安全保護体を各区画と一体的に又は別体として形成することを特徴とする屋内空間部用の区画体の区画方法。
【発明の詳細な説明】
【技術分野】
【０００１】本願発明は、災害時の避難所として使用される体育館等の各種施設の屋内空間部に設置され、避難者に割り当てる複数個の区画を、感染症等の飛沫防止用として形成し避難者を安全に受け入れる屋内空間部用の区画体、及び屋内空間部用の区画体の区画方法に関する。
【背景技術】
【０００２】近年、災害時の避難所、又は避難施設を併用する体育館等の大型化した施設が建設され、その屋内空間部は災害の状況に応じて数日間に渡って近隣の人々の避難場所として使用する。【０００３】この際、避難した人々は前記屋内空間部内を所望の間隔で複数個に区画した区画（屋内空間部用の区画体）の中で生活できる状態として使用する。【０００４】前記屋内空間部の区画体としては、床面に敷くマット等の敷物が多くの公共の施設で使用されているが、近年区画側壁部を有する段ボール又はパネル体を用いて複数個の区画を形成する区画体、及び簡易テントを用いて区画を形成する区画体も使用されている。【０００５】即ち、避難者の数に応じて割り当てる敷物を、屋内空間部に等間隔で設置する、段ボール板又はパネル体で区画の外枠四面に、１ｍ前後の区画側壁部を形成し屋内空間部に等間隔で設置する、又は簡易テントを一つの区画として屋内空間部に等間隔で設置して使用している。
【発明が解決しようとする課題】
【０００６】しかしながら、前記敷物を使用する場合は区画の区画側壁部がないために、避難中のプライバシーの保護ができず、避難する日数が重なるプライバシーの保護の観点から多くの問題点が発生する可能性があるとともに、各種の感染症の予防対策が不十分であった。
【０００７】また、前記段ボール板又はパネル体で形成された区画の場合は、区画側壁部の上下方向の高さ位置は一般的に１ｍ前後に形成されているために、睡眠中等の横になった場合は避難所内のプライバシーの保護の面ではかなり問題点を解決することができるが、避難者の体格の向上もあり、隣り合う区画との距離を十分（約２ｍ間隔）にとらなければ近年流行っている各種の感染症の飛沫防止に対して十分な安全性を確保することができない欠点があった。
【０００８】また、上記各区画はその間の距離を十分に取ることで飛沫防止用として使用できるが、この場合は屋内空間部に設置する区画の設置個数が制限されるために、収納できる避難者の数が計画（予定）の３分の１等に減少し、新たな避難場所の確保が必要となる問題点が発生した。
【０００９】また、段ボール板又はパネル体の上下方向の高さを２ｍ前後に形成すると、床面を基準に段ボール板又はパネル体を立設しているために、基礎部分を強固に形成しなければ、その安定性の面で不安定となり倒壊の危険性があるとともに、前記強固に形成された基礎部分に接触した避難者に怪我の恐れがあり、避難者の安全性の面で大きな欠点があった。
【００１０】また、２ｍ前後の段ボール板又はパネル体では使用しない場合の収納に多くのスペースを必要とするとともに、屋内空間部の出入り口の形状は一般的に２ｍ前後の形状の搬入移動に対しては不十分な大きさであるために、前記段ボール等の搬入移動に多くの手間がかかり等の問題点があった。
【００１１】さらに、２ｍ前後の段ボール板又はパネル体での区画の形成では、区画内で寝起きする避難者にとって区画内の閉塞感が大さく、避難日数が長期化すると避難生活に支障があるという欠点があった。
【００１２】そこで、本願発明は、安定した状態で、区画の上下方向の高さ位置を飛散防止に必要とする所望の高さに形成することができ、収納に多くのスペースを必要とすることなく、且つ区画内の閉塞感の生じない屋内空間部用の区画体、及び屋内空間部用の区画体の区画方法を提供することを課題とする。
【課題を解決するための手段】
【００１３】上記課題を解決する手段としての屋内空間部用の区画体は、請求項１に記載のように、災害時の避難所として使用する施設の屋内空間部の避難者に割り当てられ、所望の間隔で設置される避難用の複数個の区画から構成されている屋内空間部用の区画体において、前記区画には、前記屋内空間部の対向する上方側面間で前記設置される区画の一方向の幅に応じて架け渡すための区画用ロープ体と、該区画用ロープ体を利用して直接又は間接的に取り付け、且つ前記区画の各区画側壁に隙間なく連続して又は前記区画を囲むように所望の高さの側壁Ａを前記区画側壁と一体的に又は別体として形成する上部側壁部材とから前記区画の形状に応じて形成された安全保護体が設けられていることを特徴とする。
【００１４】また、上記課題を解決する手段としての屋内空間部用の区画体の区画方法は、請求項２に記載のように、災害時の避難所として使用する施設の屋内空間部に所望の間隔で設置し避難者に割り当てる複数個の区画を形成する屋内空間部用の区画体の区画方法において、前記屋内空間部の対向する上方側面間に区画の設置位置に応じて区画用ロープ体を区画の一方向の幅に応じて架け渡した後、１本又は複数本の前記区画用ロープ体を利用して直接又は間接的に前記区画の各区画側壁に隙間なく連続して又は囲むように上部側壁部材を取り付けることで、屋内空間部に所望の高さの側壁Ａを前記区画の形状に応じて形成する安全側壁部を各区画と一体的に又は別体として形成することを特徴とする。
【発明の作用効果】
【００１５】本願発明の屋内空間部用の区画体、及び屋内空間部用の区画体の区画方法の作用効果を説明する。
【００１６】先ず、請求項１に記載の屋内空間部用の区画体は、災害時の避難所として使用する施設の屋内空間部に設置され、避難者に割り当てられ、所望の間隔で設置される複数個の区画と、該各区画の区画側壁部に連続して又は囲むように所望の高さの側壁を形成する安全保護体とから構成されている。
【００１７】前記安全保護体は、前記設置される区画の一方向の幅に対応して（一方向の幅と同一又は区画を囲むような幅以上の距離）屋内空間部の対向する上方側面間に架け渡した区画用ロープ体と、１本又は複数本の区画用ロープ体を利用して直接又は間接的にネット体等を利用して吊り張りされ、且つ前記区画の区画側壁に隙間なく連続して又は前記区画を囲むように屋内空間部に所望の高さの側壁（例えば、区画の区画側壁と合わせて３ｍ前後等）を前記区画側壁と一体的に又は別体として連続して形成する上部側壁部材で構成されている。
【００１８】このため、区画の区画側壁の上下方向の高さ位置に応じて連続して又は区画を囲むように必要とする高さ位置までの長さを有する上部側壁部材を一体的に又は別体として取り付けでき、飛沫感染症の対策を十分に行え、安心して区画内で避難生活を送ることができる。
【００１９】この際、設置される区画に区画側壁があれば、該区画側壁の上部部分に連続して隙間なく上部側壁部材を取り付け、又は前記区画の区画側壁を床面側より囲むように上部側壁部材を取り付けることで、側壁Ａを形成し、また、区画の区画側壁がなければ、区画全体を囲むように床面側まで位置する上部側壁部材を取り付けことで、必要とする上下方向の高さ位置を有する側壁Ａを形成する。
【００２０】また、前記安全保護体は、前記区画用ロープ体で吊り張りされているために、区画の区画側壁に応じて、又は囲むように床面側より側壁Ａの高さ位置を安全な高さ位置に自在に設定することができるとともに、床面側に側壁Ａの基礎部分がないために、基礎部分に起因する避難者の転倒等の事故を防ぐことができる
【００２１】さらに、安全保護体は、上部側壁部材の材質を自在に選択でき、プライバシーの保護部分以外の上部側を透明なシート体を用いると、区画内の閉塞感を解消することができ、避難者の移住性を格段に向上することができる。
【００２２】このように、本願請求項１に記載の屋内空間部用の区画体は、区画の区画側壁部の高さ位置を十分な高さの側壁に形成することができ、避難時の感染症等の対策を行うことができ、各区画の間の距離を従来よりも狭めることができ、避難者の人数に応じた最適な数の区画を自在に屋内空間部に設置することができる。
【００２３】また、安全保護体が、区画用ロープ体を介して吊り張りされているために、十分な高さ位置を形成しても側壁の転倒による避難者の安全性を確保することができる。
【００２４】さらに、既存の区画を利用しての安全保護体の取り付け、及び連続した一体的な安全保護体の取り付けが可能で、既に区画を有する屋内空間部でも、敷物のみの屋内空間部でも自在に設置することができる。
【００２５】また、区画用ロープ体に間接的に取り付ける場合は、ネット体等を用いて取り付けるために、安全保護体の吊り張り時における横方向の揺れ防止の効果を得ることができる。
【００２６】次に、本願発明の請求項２に記載の屋内空間部用の区画体の区画方法は、先ず、災害時の避難所として使用する屋内空間部に所望の間隔で設置し、避難者に割り当てる、複数個の区画を形成する方法である。
【００２７】先ず、前記屋内空間部の対向する側面間に、設置された区画の一方向の幅で又は幅より広い距離（区画を囲むような位置）を有して、且つ前記区画の設置された数に応じて対応する複数本の区画用ロープ体を架け渡す。
【００２８】前記区画用ロープ体は、屋内空間部の側面の所望の高さ位置を形成するために、その高さ位置に応じて、例えば３ｍ以上等の上方側に架け渡す。
【００２９】そして、前記区画用ロープ体を利用して、前記区画の区画側壁がある場合はその区画側壁の上部部分に隙間なく（隙間を開けないように）別体として、又は区画側壁を床面側より囲むように、所望の高さの側壁を形成する上部側壁部材を直接又はネット体等を用いて間接的に吊り張りし、前記区画側壁がない場合は、床面側より区画を囲むように所望の高さの側壁Ａを形成する上部側壁部材を直接又はネット体等を用いて間接的に吊り張りすることで取り付ける。
【００３０】これにより、前記区画の上下方向の側壁の高さが飛沫防止に必要とする高さ位置まで自在に形成することができる。
【００３１】また、前記区画の区画側壁がある場合は別体として又は区画の区画側壁がない場合は、床面側より上部側壁部材を取り付けることで、区画と安全保護体とを別体として又は一体的に形成することができる。
【００３２】このように、本願発明の請求項２に記載の屋内空間部用の区画体の区画方法は、屋内空間部内の区画の上下方向の側壁の高さ位置を自在に形成することができ、飛沫感染症の対策をした区画を容易に形成することができる。
【００３３】また、安定した状態で、側壁の高さ位置を設定して取り付けでき、避難者の安全性を十分に確保することができる。
【００３４】さらに、区画の間の距離も区画の設置数に応じて調整可能であり、感染症の対策（密にならず距離を有して区画を設置することによる）としての避難者の受け入れ人数の削減を解消することができる。
【発明を実施するための最良な形態】
【００３５】本願発明の屋内空間部用の区画体、及び屋内空間部用の区画体の区画方法の一実施例について図面を利用して説明する。
【００３６】図１は屋内空間部用の区画に取り付ける安全保護体の第一実施例を示す概略説明斜視図であり、図２は図１の安全保護体を示す概略説明正面図であり、図３は図１の安全保護体を示す概略説明側面図であり、図４は本願発明の屋内空間部用の区画体を示す概略説明斜視図であり、図５は屋内空間部の床面に安全保護体の取り付けられた複数個の区画を設置した状態を示す概略説明平面図であり、図６は図１の安全保護体の区画への取り付けの他実施例を示す概略説明正面図であり、図７は図６の安全保護体を示す概略説明上面図であり、図８は図１の安全保護体の区画用ロープ体への取り付け方法の他実施例を示す概略説明斜視図であり、図９は屋内空間部用の区画に取り付ける安全保護体の第２実施例を示す概略説明斜視図であり、図１０は図９に使用するネット体を示す概略説明正面図であり、図１１は図１０のネット体に安全保護体を取り付けた状態を示す概略説明正面図であり、図１２は図１０のネット体を取り付けた区画用ロープ体の端部側のウインチを示す概略説明正面図であり、図１３及び図１４は図１０のネット体の吊り張りの他実施例を示す概略説明正面図であり、図１５はネット体を利用した安全保護体の取り付け状態を示す概略説明斜視図であり、図１６は安全保護体のネット体への取り付けの他実施例を示す概略説明正面図であり、図１７は屋内空間部用の区画と安全保護体とを一体的に形成した第３実施例を示す概略説明斜視図であり、図１８は図１７の一方向の側壁を示す概略説明正面図であり、図１９は図１７の一体的に形成された区画と安全保護体との一方向の側壁を示す概略説明側面図であり、図２０は安全保護体の他実施例を示す概略説明上面図であり、図２１は図２０の安全保護体を示す概略説明正面図である。
【００３７】図２２及び図２３は、屋内空間部用の区画体の区画方法を示すフローチャートである。
【００３８】本願発明の屋内空間部用の区画体１５は、屋内空間部の床面に所望の間隔で設置される区画２０と、該区画２０に隙間なく取り付ける安全保護体１とから構成されている。
【００３９】前記区画２０と安全保護体１との取り付けは、前記区画２０に区画側壁２１がある場合は、前記区画側壁２１に連続して隙間なく安全保護体１を取り付けることで、側壁Ａを形成し、前記区画側壁２１がない場合は、前記区画２０を床面側まで囲むように安全保護体１を取り付けることで側壁Ａを形成する。
【００４０】また、区画２０がない（区画の枠等がない）場合は、安全保護体１に区画２０を一体的に形成することで屋内空間部用の区画体１５を形成する。
【００４１】前記安全保護体１は、各区画２０を床面に沿って設置される位置に応じて、屋内空間部の対向する（上方側の）側面間に、区画用ロープ体２を前記区画２０の設置の列に応じた本数架け渡す。
【００４２】この際、基本となる隣り合う２本の区画用ロープ体２間の幅は、区画２０の区画側壁２１に連続して安全保護体１を取り付ける場合は、前記区画２０の対向する一方向（Ｆ）の区画２０と同一幅で、また区画２０を囲むように取り付ける場合は、前記区画２０の対向する一方向（Ｆ）の幅より広い範囲で架け渡し、前記基本となる隣り合う２本を一組とする区画用ロープ体２，２と次の隣り合う２本を一組の区画用ロープ体２，２との間隔は、避難者等の通路等として使用する目的に応じた幅を有して架け渡す。
【００４３】これにより、区画２０間の幅を適切に位置することができるとともに、前記区画２０の各区画側壁２１に連続した側壁Ａ、又は床面側より安全保護体１の上下方向の高さ位置である側壁Ａを、特に飛沫感染症の防止に十分な高さを有して形成することができる。
【００４４】即ち、前記区画用ロープ体２の架け渡す屋内空間部の側面は、屋内空間部に二階部分がある場合は、二階の手摺部分（通常屋内空間部の床面側より二階部分の床面まで約３〜５ｍ前後）の上方側又は下方側を利用して対向する側面の手摺部分との間に架け渡す。
【００４５】また、二階部分のない屋内空間部の場合は、側面の所望の高さ位置（約４ｍ前後）に係止具を取り付けることで、区画用ロープ体２を架け渡す。
【００４６】さらに、前記区画用ロープ体２は二階の床面側、側壁に設置されたウィンチ１０及び手摺部分に設置された滑車１１を用いて床面側（一階）に引き出し又は巻き取り移動可能に設置することで、安全保護体１の取り付け作業を架け渡す前に予め行うことができる。
【００４７】尚、本願発明において、前記区画用ロープ体２の両端側にウインチ１０を取り付ける構成に限定されるものでなく、前記区画用ロープ体２の一方側を公知の簡易緊張手段に変更することも可能であり、また、前記区画用ロープ体２の両端側を簡易緊張手段に変更することも可能である。
【００４８】要は、屋内空間部の側面間の大きさ等において、広い場合は、ウインチ１０を用いて前記区画用ロープ体２を緊張し、狭い場合は、簡易緊張手段を用いて緊張する方法を用いる。
【００４９】前記安全保護体１は、前記区画用ロープ体２を利用して前記区画用ロープ体２に直接又は連結手段を介して間接的に吊り張りする。
【００５０】前記安全保護体１の構成（連結手段を介して直接的に吊り張りする場合）は、前記隣り合う２本を一組とする区画用ロープ体２、２のそれぞれに連結手段としての紐状体３を前記区画２０の他方向（Ｍ）の区画側壁２１間の幅に対応してその両端側の位置、又は区画２０を囲むように取り付ける場合は、前記幅以上の距離を有してそれぞれ取り付け、該２本の紐状体３を基準に前記区画用ロープ体２の架け渡す方向に沿って設置される区画２０の数に応じて複数本を前記区画用ロープ体２に取り付ける。
【００５１】次に、前記２本を一組とする区画用ロープ体２毎に隣り合う２本の紐状体３にそれぞれ縦棒状体４の両端側をそれぞれ取り付けることで、区画２０の他方向Ｍ幅両側に沿って、又は前記幅Ｍ以上の距離で並行に縦棒状体４を取り付け、以後前記２本の区画用ロープ体２のそれぞれの架け渡す方向に沿って同様に複数本の縦棒状体４を取り付ける。
【００５２】そして、前記一方向の幅Ｍを有して架け渡された２本を一組の区画用ロープ体２間に渡って、前記縦棒状体４，４の取り付けられた２本の紐状体３をそれぞれ利用して横棒状体４ａ，４ａを取り付けることで、２本の縦棒状体４，４と２本の横棒状体４ａ，４ａで矩形状の枠体を複数個（設置される区画２０の数に応じた数）形成する。
【００５３】その後、前記枠体を形成する縦棒状体４，４に前記区画２０の区画側壁２１の縦方向の幅（Ｍ）に応じた幅の上部側壁部材としての透明の縦シート体５，５を取り付けるとともに、前記枠体を形成する横棒状体４ａ，４ａに同様の透明横シート体５ａ，５ａを取り付ける。
【００５４】この際、区画２０の矩形状の各区画側壁２１に対応した位置で前記区画側壁２１の上部側との間が、隙間なく重なるように前記縦シート体５，５及び前記横シート体５ａ，５ａを吊り張りする。
【００５５】又は前記区画２０を囲むように前記縦シート体５，５及び横シート体５ａ，５ａを床面側までの長さを有して吊り張りする。
【００５６】これにより、前記２本を一組とする区画用ロープ体２、２を利用して、前記床面の設置される区画２０の上部側に略同形状又は拡大した形状の安全保護体１を隙間なく吊り張りすることができる。
【００５７】尚、前記縦シート体５の端部側と横シート体５ａの端部側は、必要に応じて、その上下方向に沿って連結（テープ、接着剤等の公知の接着手段を用いて）することで隙間部分を閉塞することができる。
【００５８】尚、本願発明において、前記縦シート体５と前記横シート体５ａとの端部側の連結は、上記のように接着手段を用いることに限定されるものでなく、各シート体５、５ａの厚さ部分を重ねることで、隙間をなくすことも可能である。
【００５９】要は、各シート体５、５ａの端部側の隙間部分を解消することができるならば、あらゆる公知の方法を用いることが可能である。
【００６０】前記安全保護体１を形成する縦シート体５，５及び横シート体５ａ，５ａの下端側が前記区画２０の区画側壁２１の外側で、且つ前記区画側壁２１の上端側と（隙間なく）重なった位置にくるように、安全保護体１の高さ位置を前記紐状体３の取り付け位置で自在に調整することができる。
【００６１】又は、前記縦シート体５，５及び横シート体５ａ，５ａの下端側が前記区画２０を囲むように床面側まで取り付け位置を自在に調整することができる。
【００６２】これにより、安全保護体１を適切に前記区画２０の上部側に設置し、前記安全保護体１と前記区画２０とを一体化することができる。
【００６３】この際、区画２０の区画側壁２１に安全保護体１の縦シート体５，５及び横シート体５ａ，５ａを連続することで、床面より安全保護体１の上部までの距離（Ｓ）を２ｍ以上の所望の高さ位置、例えば３ｍ以上等自在（区画用ロープ体２架け渡す高さ位置より下方で）に、又は縦シート体５，５及び横シート体５ａ，５ａを床面側まで長さ調整することで、同様に３ｍ以上等の高さ位置に、屋内空間部用の区画体１５としての側壁Ａを設定することができる。
【００６４】上記のように、屋内空間部に設置された区画２０の上部側にそれぞれ安全保護体１を順次位置することで、屋内空間部の区画体１５を形成することができる。
【００６５】尚、前記区画用ロープ体２への連結手段は、前記のように紐状体３に限定されるものでなく、チェーン、ワイヤー、棒状体等自在に選択することができる。
【００６６】また、広い屋内空間部の場合は、前記隣り合う区画用ロープ体２、２にそれぞれ連結手段としてのネット体６（連結手段を介して間接的に吊り張りする場合は）を吊り張りし、該ネット体６の網目部分を利用して前記区画用ロープ体２の架け渡す方向に沿って複数本（区画２０の設置した数に応じて）の縦棒状体４、４と取り付けるとともに、２本で一組の区画用ロープ体２，２間で前記ネット体６を利用して縦棒状体４，４の取り付け位置に応じて複数本の横棒状体４ａ、４ａを取り付けることで、複数個の矩形状の枠体を形成する。
【００６７】次に、前記前記枠体を形成する縦棒状体４，４及び横棒状体４ａ，４ａにそれぞれ縦シート体５、５及び横シート体５ａ、５ａを取り付けることで、前記ネット体６を利用して複数個の安全保護体１を吊り張りする。
【００６８】この場合も同様に、前記区画２０の側壁部２１の上部側と連続して隙間なく、又は前記区画２０を囲むように、前記縦シート体５，５及び前記横シート体５ａ，５ａを調整して位置させる。
【００６９】尚、前記ネット体６を用いる場合は、ネット体６の荷重により中央部分か床面側に下降するために、予め前記ネット体６に山形状（ネット体６の荷重で下降する中央部分に反対応した形状）に別体のロープ体７を取り付ける。
【００７０】これにより、前記区画用ロープ体２を側面間に架け渡すと、前記区画用ロープ体２及び取り付けた前記ネット体６の荷重により、中央部分が床面側に下降するが、前記別体のロープ体７の中央部分の山形状部分が前記下降に応じて下降するために前記別体のロープ体７は水平状態に保たれることとなる。
【００７１】この状態で隣り合う２本の区画用ロープ体２に取り付けられたネット体６の前記別体のロープ体７をそれぞれ利用して、前記と同様に前記別体のロープ体７に前記縦棒状体４，４を並行に所望の間隔を有して取り付けるとともに、前記別体のロープ体７，７間に横棒状体４ａ，４ａの端部側をそれぞれ取り付けることで、矩形状の枠を形成した後、前記縦棒状体４，４及び横棒状体４ａ，４ａに縦シート体５，５及び横シート体５ａ、５ａを取り付けることで、安全保護体１を形成することができる。
【００７２】尚、前記別体のロープ体７の両端側を側面側でウインチ等の公知の緊張手段で緊張状態にすることで、前記縦棒状体４，４等の取り付けをさらに安定した状態で取り付けすることも可能である。
【００７３】これにより、前記安全保護体１は前記ネット体６で横方向の揺れ防止することができ、ネット体６を用いない場合に比し安定した状態で、前記安全保護体１を吊り張りすることができる。
【００７４】尚、前記別体のロープ体７を利用する場合は、前記縦棒状体４を用いることなく、前記別体のロープ体７の直接縦シート体５を取り付けることで、ネット体６吊り張り時に前記別体のロープ体７を水平状態として、前記縦シート体５を取り付けすることも可能である。
【００７５】特に、側面間が６０ｍ前後ある大空間部の場合は、前記区画用ロープ体２の中央部分の下降する割合が荷重に比例して大きくなるために、その補強手段として前記区画用ロープ体２の上記側のそれぞれの側面側に間仕切り用等のネット体を吊り張りする間仕切り用ロープ体１６を利用し、前記区画用ロープ体２の略中央部分にそれぞれ両側面側より引き出し移動して連結し上方側に支持することで、前記区画用ロープ体２の中央部分の下降移動を削減するとともに、より安定した状態で、区画用ロープ体２を架け渡すことができる。
【００７６】また、前記区画用ロープ体２の上方側に予め中央部分の下降に応じた形状（略三角形状）の補強ネット体６ａ、６ａを両側面側より吊り張りロープ体２ａを介して取り付けることで、前記吊り張りロープ体２ａを巻き取り移動し前記下端側の区画用ロープ体２を水平状態に維持することができる。
【００７７】この状態で、前記区画用ロープ体２に縦棒状体４，４及び横棒状体４ａ，４ａを上記と同様に取り付け、前記縦棒状体４，４及び横棒状体４ａ，４ａに縦シート体５，５及び横シート体５ａ，５ａを取り付ける。
【００７８】これにより、容易に安全保護体１を区画用ロープ体２に沿って取り付けすることができる。
【００７９】また、前記区画用ロープ体２に直接安全保護体１を吊り張りする場合は、前記区画用ロープ体２に縦棒状体４及び横棒状体４ａを直接取り付け、該縦棒状体４及び横棒状体４ａに、それぞれ縦シート体５及び横シート体５ａを取り付けることで、安全保護体１を吊り張りすることも可能である。
【００８０】また、前記縦シート体５と横シート体５ａとを別々に形成したが、本願発明において、前記縦シート体５と横シート体５ａとを一体的に形成することも可能である。
【００８１】この場合、前記縦棒状体４と横棒状体４ａとを一体的な略Ｌ字状に形成して前記一体的に形成したシート体を取り付けることで、又は矩形状の枠を形成して一体的に形成したシート体を取り付けることで、作業工程を簡略化して安全保護体１を形成することもできる。
【００８２】また、前記上部側壁部材を縦シート体５，５及び横シート体５ａ，５ａで形成したが、本願発明において、上部側壁部材は縦シート体５，５及び横シート体５ａ，５ａに限定されるものでなく、例えば、透明のパネル板等を利用することも可能であり、また、透明の縦シート体５，５及び横シート体５ａ，５ａに限定されるものでなく、半透明、又は色付きのシート体を利用することも可能である。
【００８３】また、前記上部安全側壁部材を縦シート体５及び横シート体５ａで形成したが、本願発明において、上部安全側壁部材はシート体５及び横シート体５ａに限定されるものでなく、例えば、透明のパネル板等を利用することも可能であり、また、透明の縦シート体５及び横シート体５ａに限定されるものでなく、半透明、又は色付きの縦シート体５及び横シート体５ａを利用することも可能である。
【００８４】さらに、前記安全保護体１の形状は、前記区画２０の形状に応じて矩形状に形成したが、本願発明において、安全保護体１の形状は矩形状に限定されるものでなく、円筒形、又は三角錐等、自在に形成することができる。要は、前記区画２０の区画側壁部２１の外周に沿って所望の高さ位置の側壁Ａを維持できるならその形状は問うものでない。
【００８５】また、前記安全保護体１は隣り合う２本を一組とする区画用ロープ体２，２を用いて屋内空間部の上部側に吊り張りしたが、本願発明において、安全保護体１の取り付けはこれに限定されるものでなく、予め安全保護体１を形成し、その中央部分の紐状体を用いて１本の区画用ロープ体２に連結することで、吊り張りすることも可能である。
【００８６】さらに、本願発明の安全保護体１は、区画用ロープ体２、縦棒状体４，４、横棒状体４ａ，４ａ、縦シート体５，５、横シート体５ａ，５ａ、及びネット体６で構成されているために、区画用ロープ体２は巻き取りし、縦シート体５，５、横シート体５ａ，５ａ及びネット体６は折り畳みすることで、収納時に従来の床面側に設置するパネル体等に比し、大きな収納スペースを必要とすることなく、収納することができ、収納時の問題点を解消することができる。
【００８７】本願発明の屋内空間部用の区画体１５は上記のように構成され、次に、該屋内空間部用の区画体１５を用いて、屋内空間部を複数に区画する場合について説明する。
【実施例１】
【００８８】先ず、屋内空間部の床面の所望の位置にそれぞれ矩形状の枠体２２の各側面に沿って区画側壁部材を取り付け矩形状の区画側壁２１を形成することで、区画２０を形成した後、前記区画２０を対向する側面間の方向に沿って所望の間隔を有して複数個設置するとともに、側面間と交差する方向では、避難者の通路を有する幅を有して同様に複数個を床面に沿って設置する。【００８９】先ず、屋内空間部の床面の所望の位置にそれぞれ矩形状の枠体２２の各側面に沿って区画側壁部材を取り付け矩形状の区画側壁部２１を形成することで、区画２０を形成した後、前記区画２０を対向する側面間の方向に沿って所望の間隔を有して複数個設置するとともに、側面間と交差する方向では、避難者の通路を有する幅を有して同様に複数個を床面に沿って設置する。【００９０】この際、前記区画２０のみ（感染症等対策としては）では、前後左右それぞれの方向に必要とする距離（例えば２ｍ）を有する必要があるが、本願発明においては、安全保護体１を設置するために、各区画２０の前後左右方向の距離を前記設置位置（２ｍ前後）に対して狭めた位置（屋内空間部の大きさ、収容する避難者の数に応じて）で設置する。【００９１】次に、前記各区画２０の設置する位置に応じて、即ち、区画２０の一方向の距離（Ｆ）を有する２本の隣り合う区画用ロープ体２、２を一組とする複数本の区画用ロープ体２を架け渡す。【００９２】この際、基本となる２本を一組とする区画用ロープ体２、２と隣り合う他の２本を一組とする区画用ロープ体２、２との間は、前記区画２０間の通路部分に対応する距離を有して架け渡す。【００９３】前記区画用ロープ体２は、屋内空間部の対向する側面のそれぞれの二階部分の手摺部分を利用し、ウインチ１０を用いて弛ませた状態で架け渡す。【００９４】これにより、通常は約４ｍ以上の高さ位置を有して区画用ロープ体２を架け渡すことが可能となる。【００９５】次に、前記床面側に弛ませた前記２本を一組とする区画用ロープ体２，２それぞれに前記区画２０の他方向の距離（Ｍ）の両端側に対応する位置に応じて、それぞれ紐状体３を取り付ける。【００９６】この作業を、区画２０の設置された一方向の位置に応じて、各２本を一組とする区画用ロープ体２，２にそれぞれに繰り返して行う。【００９７】これにより、各区画２０の設置位置に対応して区画側壁部２１の両端側の上方側にそれぞれ紐状体３が取り付けられた状態となる。【００９８】次に、前記隣接（距離Ｍ間）する紐状体３を利用して、それぞれ縦棒状体４，４の両端側の前記紐状体３を用いて取り付けるとともに、一組の他方の区画用ロープ体２の紐状体３にもそれぞれ縦棒状体４，４を取り付ける。【００９９】次に、前記２本を一組とする区画用ロープ体２，２間の同位置の前記紐状体３間に、横方向の横棒状体４ａ，４ａをそれぞれ取り付ける。【０１００】その後、前記縦棒状体４，４に縦シート体５，５（区画２０の区画側壁２１（縦方向）の上部側と重なる位置までの上下方向の長さに形成された）を取り付けるとともに、前記横棒状体４ａ，４ａに横シート体５ａ，５ａ（区画２０の区画側壁２１（横方向）の上部側と重なる位置までの長さに形成された）を取り付けることで、各区画側壁２１に連続して隙間なく側壁Ａを形成する。【０１０１】尚、上記状態では、前記区画用ロープ体２は床面側に弛ませているために、縦シート体５，５及び横シート体５ａ，５ａは前記区画側壁２１の下方の位置に弛みを持たせて設置されている。【０１０２】尚、上記状態では、前記区画用ロープ体２は床面側に弛ませているために、縦シート体５，５及び横シート体５ａ，５ａは前記区画側壁部２１の下方の位置に弛みを持たせて設置されている。【０１０３】これにより、前記安全保護体１の各縦シート体５，５及び横シート体５ａ，５ａの上下方向の長さは、前記区画２０の区画側壁２１の上端側より僅かに下方まで位置する長さの側壁Ａ（区画２０の区画側壁２１の床面よりの高さと合わせて約３ｍ前後）に形成することで、区画２０内の避難者が飛沫感染症より適切に保護されることとなり、安全に避難生活を送ることができる。【０１０４】これにより、前記安全保護体１の各縦シート体５及び横シート体５ａの上下方向の長さは、前記区画２０の区画側壁部２１の上端側より僅かに下方まで位置する長さの側壁Ａ（区画２０の側壁部２１の床面よりの高さと合わせて約３ｍ前後）に形成することで、区画２０内の避難者が飛沫感染症より適切に保護されることとなり、安全に避難生活を送ることができる。【０１０５】尚、前記安全保護体１の区画用ロープ体２への設置は、区画用ロープ体２を架け渡した後に設置する場合に限定されるものでなく、区画２０に形状に応じて、予め紐状体３、シート体５の取り付けられた棒状体４、及び隣り合う区画用ロープ体２との間のシート体５ａの取り付けられた棒状体４ａを取り付けた後に、側面間に架け渡すことも可能である。【０１０６】このように、本願発明の屋内空間部の区画体１５は、既存の区画２０を利用してその上下方向の高さ位置を容易に補強して３ｍ等の側壁Ａを自在に設置でき、安全で使用の容易な安全保護体１を提供することができる。【０１０７】尚、上記実施例では、区画２０の区画側壁２１に連続して安全保護体１を取り付けたが、本願発明において、区画２０に対する安全保護体１の取り付けはこれに限定されるものでなく、区画２０を囲むように床面側まで縦シート体５，５及び横シート体５ａ，５ａの下端側を位置させることで、広いスペースを必要とする避難者状況に応じて自在に側壁Ａを形成することもできる。【０１０８】尚、上記実施例では、区画２０の区画側壁部２１に連続して安全保護体１を取り付けたが、本願発明において、区画２０に対する安全保護体１の取り付けはこれに限定されるものでなく、区画２０を囲むように床面側まで縦シート体５，５及び横シート体５ａ，５ａの下端側を位置させることで、広いスペースを必要とする避難者の状況に応じて自在に側壁Ａを形成することもできる。【０１０９】また、区画２０が敷物（マット等）のみの場合も同様に、安全保護体１の縦シート体５，５及び横シート体５ａ，５ａの下端側を床面側まで延長し、前記区画２０を囲むように取り付けることも可能である。【０１１０】要は、安全保護体１を用いて形成する側壁Ａを必要とする高さ位置を有する形状に形成し、避難者を感染症等から安全に防護可能に取り付けできるなら、安全保護体１の取り付け位置や構成は問うものでない。
【実施例２】
【０１１１】次に、前記区画用ロープ体２にネット体６を取り付け、該ネット体６を利用して安全保護体１を取り付ける屋内空間部用の区画体１５の一実施例について、説明する。【０１１２】先ず、実施例１と同様に屋内空間部に設置された区画２０の数に応じて、屋内空間部の側面間に前記と同様に２本を一組とする区画用ロープ体２，２を複数本架け渡す。【０１１３】前記２本を一組とする区画用ロープ体２，２の幅は前記区画２０の一方向幅Ｆとし、他の２本を一組とする区画用ロープ体２，２のとし間は、通常は通路部分の幅を有して架け渡す。【０１１４】次に、前記各区画用ロープ体２，２にそれぞれネット体６を取り付けることで、対向する側壁間に沿って前記ネット体６を吊り張りする。【０１１５】この際、前記ネット体６の中央部分はその荷重により床面側に下降するために、前記ネット体６に予め中央部分を山形形状になるように、別体のロープ体７をネット体６の網目部分を利用して取り付けることで、前記ネット体６の吊り張り時に、前記ネット体６の中途部分の下降に応じて前記別体のロープ体７の山形部分が下降し全体が水平状態に維持することができる。【０１１６】尚、上記ネット体６の水平状態に維持する方法は上記別体のロープ体７に限定されるものでなく、中央部分に向けて三角形状に形成されたネット体６を両側壁側より区画用ロープ体２を介して取り付けることで、前記区画用ロープ体２の両端側を引っ張り移動することで、前記ネット体６の下端側に位置する別体のロープ体７を水平状態に維持することも可能である。【０１１７】上記の状態で、前記別体のロープ体７を利用して縦棒状体４，４を区画２０の他方向の幅Ｍに応じて、２本を一組の区画用ロープ体２，２の同じ位置に、取り付けるとともに、前記縦棒状体４，４の両端側に前記別体のロープ体７を利用して横棒状体４ａ，４ａを取り付けることで、２本を一組とする区画用ロープ体２，２間に沿って複数個の矩形状の枠体を形成する。【０１１８】この際、区画側壁２１に連続して隙間なく前記縦シート体５，５（区画側壁２１の縦方向に）及び横シート体５ａ，５ａ（区画側壁２１の横方向に）を位置させる。【０１１９】この際、区画側壁部２１に連続して隙間なく前記縦シート体５，５（区画側壁部２１の縦方向に）及び横シート体５ａ，５ａ（区画側壁部２１の横方向に）を位置させる。【０１２０】これにより、各区画２０の上部側に安全保護体１を位置させた状態で吊り張りすることができ、屋内空間部用の区画体１５を構成することができる。【０１２１】また、前記安全保護体１は前記ネット体６で揺れを防止することができ、区画２０の上部側に安定した状態維持することができる。【０１２２】このように、ネット体６を利用した安全保護体１の形成は、その取り付け作業が容易であり、安定した状態で、吊り張りすることができる。【０１２３】尚、前記縦棒状体４，４及び前記横棒状体４ａ，４ａの前記ネット体６への取り付けは前記別体のロープ体７を介しての取り付けに限定されるものでなく、前記紐状体３を介してネット体６へ取り付けることで、前記紐状体３の長さを調整することで側壁Ａの高さ位置の調整を自在に調整することも可能であり、また、直接ネット体６に縦棒状体４，４を取り付けることも可能である。【０１２４】さらに、前記実施例１と同様に区画２０を囲むように取り付ける場合は、２本を一組とする区画用ロープ体２，２間の幅を、前記区画２０全体を囲むように一方の方向に調整して架け渡し、それぞれにネット体６を取り付けることで、該ネット体６を利用して容易に枠体を取り付けでき、縦シート体５，５及び横シート体５ａ，５ａで形成する安全保護体１の側壁Ａを床面側までの長さに調整して容易に区画２０を囲むように取り付けすることができる。
【実施例３】
【０１２５】区画２１の準備されていない屋内空間部において、安全保護体１と区画２０とを同時に形成する屋内空間部用の区画体１５の一実施例について説明する。【０１２６】先ず、屋内空間部の対向する側面間に区画２０の一方向Ｆに該当する間隔を有して２本を一組とする区画用ロープ体２，２を架け渡し、避難者の通路となる幅を隔てて次の２本を一組とする区画用ロープ体２，２を架け渡す作業を繰り返すことで、設置すべき区画２０の数に応じた２本を一組とする区画用ロープ体２，２を側面間に複数本架け渡す。【０１２７】この際、実施例１の場合と同様に屋内空間部に二階部分がある場合はその手摺部分を利用して通常床面より３ｍ前後の高さ位置に前記区画用ロープ体２を架け渡す。【０１２８】次に、前記各区画用ロープ体２をそれぞれ床面側に弛ませた状態とした後、前記区画用ロープ体２に形成する区画２０の他方向Ｍとしその位置に対応してその距離Ｍの前後位置にそれぞれ紐状体３を取り付け、所望の間隔（隣り合う区画２０との距離）を開けた後、再度距離Ｎの前後位置に紐状体３を取り付けることを繰り返すことで２本を一組とする複数本の紐状体３を取り付ける。【０１２９】同様に、２本を一組とする他方向の区画用ロープ体２にも前記一方の区画用ロープ体２と同様の位置に複数本の紐状体３を取り付ける。【０１３０】この際、前記紐状体３の上下方向の長さは、床面側までの長さ（側壁Ａの長さ３ｍ前後）に形成する。【０１３１】そして、前記２本を一組とする紐状体３の上端側に安全保護体１を形成するための縦棒状体４の両端側を連結するとともに、２本を一組とする区画用ロープ体２，２間の他方向Ｍ（横方向）に横棒状体４ａ，４ａを前記縦棒状体４，４の取り付け位置に沿って前記紐状体３を介して取り付けることで、前記縦棒状体４，４と前記横棒状体４ａ，４ａとで上方側に矩形状の枠体を形成する。【０１３２】次に、床面側より所望の高さ位置（区画２０の区画側壁部２１を形成する位置）に、上記と同様に縦棒状体（図示せず）と横棒状体（図示せず）とで矩形状の枠体を形成する。【０１３３】その後、前記上方側の枠体を形成する縦棒状体４，４に縦シート体５，５（上下方向の長さを通常１．８ｍ前後に形成し、下方側の前記枠体の下方に位置させる）を取り付けるとともに、横棒状体４ａ，４ａに同様の長さの縦シート体５ａ，５ａを取り付けることで、安全保護体１を形成する。【０１３４】次に、前記下方側の枠体の縦棒状体及び横棒状体（図示せず）にそれぞれ床面側に位置する長さの縦シート体及び横シート体（図示せず）を取り付けることで、各方向の側壁部２１を形成する。【０１３５】これにより、矩形状の区画２０と安全保護体１を一体的に形成することができる。【０１３６】このようにして、複数個の区画２０と安全保護体１を一体的に形成した状態で屋内空間部に複数個設置する。【０１３７】尚、区画２０を形成する部分を強化するために、前記紐状体３に棒状の柱体（図示せず）を取り付け、枠体の四隅に柱体を固定することで、上下の枠体を強固に取り付けできる。【０１３８】上記のように、安全保護体１を区画２０と一体的に形成することで、区画２０の設置のない屋内空間部に安全保護体１の取り付けられた区画２０を自在に設置することができる。【０１３９】また、区画２０と安全保護体１とが一体的に形成されているために、屋内空間部に設置した後、常にその設置位置を維持することができ、安全性を確保した状態で使用することができる。【０１４０】さらに、紐状体３の取り付け位置を変更するだけで、自在にその高さ位置を調整することができ、屋内空間部の大きさに応じて、高さ位置を自在に変更することができる。【０１４１】尚、上記実施例において、区画用ロープ体２に直接区画２０と安全保護体１とを取り付けたが、本願発明では区画用ロープ体２に直接取り付けることに限定されるものでなく、例えば、実施例２のネット体６を利用して区画２０と安全保護体１とを一体的に形成することも可能である。
【図面の簡単な説明】
【０１４２】
【図１】屋内空間部用の区画に取り付ける安全保護体の第１実施例を示す概略説明斜視図
【図２】図１の安全保護体を示す概略説明正面図
【図３】図１の安全保護体を示す概略説明側面図
【図４】本願発明の屋内空間部用の区画体を示す概略説明斜視図
【図５】屋内空間部の床面に安全保護体の取り付けられた複数個の区画を設置した状態を示す概略説明平面図
【図６】図１の安全保護体の区画への取り付けの他実施例を示す概略説明正面図
【図７】図６の安全保護体を示す概略説明上面図
【図８】図１の安全保護体の区画用ロープ体への取り付けの他実施例を示す概略説明斜視図
【図９】屋内空間部用の区画に取り付ける安全保護体の第２実施例を示す概略説明斜視図
【図１０】図９に使用するネット体を示す概略説明正面図
【図１１】図１０にネット体に安全保護体を取り付けた状態を示す概略説明正面図
【図１２】図１０のネット体を取り付けた区画用ロープ体の端部側のウインチを示す概略説明正面図
【図１３】図１０のネット体の吊り張りの他実施例を示す概略説明正面図
【図１４】図１０のネット体の吊り張りの他実施例を示す概略説明正面図
【図１５】ネット体を利用した安全保護体の取り付け状態を示す概略説明斜視図
【図１６】安全保護体のネット体への取り付けの他実施例を示す概略説明正面図
【図１７】屋内空間部用の区画と安全保護体とを一体的に形成した第３実施例を示す概略説明斜視図
【図１８】図１７の一体的に形成された区画と安全保護体との一方向の側壁を示す概略説明正面図
【図１９】図１７の一体的に形成された区画と安全保護体との一方向の側壁を示す概略説明側面図
【図２０】安全保護体の他実施例を示す概略説明上面図
【図２１】図２０の安全保護体を示す概略説明正面図
【図２２】本願発明の屋内空間部用の区画体の区画方法を示すフローチャート
【図２３】本願発明の屋内空間部用の区画体の区画方法を示すフローチャート
【符号の説明】
【０１４３】１…安全保護体、２…区画用ロープ体、３…紐状体、５…縦シート体、２０…区画、
【要約】
【課題】本願発明は、避難所として使用する屋内空間部で、非難者を感染症等から安全に保護でき、しかも整列された状態で区画を形成することができる屋内空間部用の区画体、及び屋内空間部用の区画体の区画方法を提供することを課題とする。
【解決手段】災害時の避難所として使用する施設の屋内空間部で避難者に割り当てられ、所望の間隔で設置される複数個の区画から構成されている屋内空間部用の区画体において、前記区画には、前記屋内空間部の対向する上方側側面間で前記設置される区画の一方向の幅に応じて架け渡す区画用ロープ体と、該区画用ロープ体を利用して直接又は間接的に取り付け、且つ前記区画の各側壁部に連続して所望の高さの側壁を形成する上部安全側壁部材とから形成された安全保護体が設けられていることである。
【選択図】図１【図１】
0006866557.tif 000002
【図２】
0006866557.tif 000003
【図３】
0006866557.tif 000004
【図４】
0006866557.tif 000005
【図５】
0006866557.tif 000006
【図６】
0006866557.tif 000007
【図７】
0006866557.tif 000008
【図８】
0006866557.tif 000009
【図９】
0006866557.tif 000010
【図１０】
0006866557.tif 000011
【図１１】
0006866557.tif 000012
【図１２】
0006866557.tif 000013
【図１３】
0006866557.tif 000014
【図１４】
0006866557.tif 000015
【図１５】
0006866557.tif 000016
【図１６】
0006866557.tif 000017
【図１７】
0006866557.tif 000018
【図１８】
0006866557.tif 000019
【図１９】
0006866557.tif 000020
【図２０】
0006866557.tif 000021
【図２１】
0006866557.tif 000022
【図２２】
0006866557.tif 000023
【図２３】
0006866557.tif 000024